(57)【要約】【課題】  用具収納凹部から化粧用具を取り出し易くすると同時に、化粧用具を用具収納凹部に収納し易く、しかも蓋体を開いた際に化粧用具が用具収納凹部から不測に落下することがないようにする。【解決手段】  蓋体２３が容器本体１に開閉自在にヒンジ結合され、容器本体１に化粧用具１１を収納する用具収納凹部１３が設けられたコンパクト容器において、蓋体２３の開閉動作により、用具収納凹部１３内に化粧用具１１を摘むための指挿入空間を形成するべく化粧用具１１を移動させる移動手段が設けられている。【選択図】図５
2011055889.tif 000002
【特許請求の範囲】
【請求項１】
蓋体（２３）が容器本体（１）に開閉自在にヒンジ結合され、容器本体（１）に化粧用具（１１）を収納する用具収納凹部（１３）が設けられたコンパクト容器において、
蓋体（２３）の開閉動作により、用具収納凹部（１３）内に化粧用具（１１）を摘むための指挿入空間（Ａ）を形成するべく化粧用具（１１）を移動させる移動手段が設けられていることを特徴とするコンパクト容器。
【請求項２】
化粧用具（１１）の把持部（３５）が長円柱形状、楕円柱状又は長方形の柱状に形成され、蓋体（２３）の開閉動作により前記移動手段で把持部（３５）の長円、楕円又は長方形の長軸が水平状態から起立するように化粧用具（１１）を用具収納凹部（１３）内で姿勢変更させるようにしたことを特徴とする請求項１に記載のコンパクト容器。
【請求項３】
前記移動手段は、容器本体（１）の用具収納凹部（１３）に対応して、蓋体（２３）に突出した押圧片（３９）により構成されていることを特徴とする請求項１又は２に記載のコンパクト容器。
【請求項４】
前記用具収納凹部（１３）の壁体（１６Ａ）に係止部（９）が設けられ、蓋体（２３）の前後方向中途部に係合片（３１）が下方突設され、係合片（３１）に蓋体（２３）を閉塞状態に保持すべく係止部（９）に下側から係合する係合凸部（３２）が後方突設されていることを特徴とする請求項１〜３のいずれかに記載のコンパクト容器。
【請求項５】
前記用具収納凹部（１３）の壁体（１６Ａ）に係止部（９）が設けられ、押圧片（３９）に蓋体（２３）を閉塞状態に保持すべく係止部（９）に下側から係合する係合凸部（３２）が設けられていることを特徴とする請求項３に記載のコンパクト容器。
【発明の詳細な説明】
【技術分野】
【０００１】
本発明は、コンパクト容器に関するものである。
【背景技術】
【０００２】
コンパクト容器には蓋体が容器本体に開閉自在にヒンジ結合され、容器本体に化粧用具を収納する用具収納凹部が設けられたものがあり（例えば特許文献１）、この種の従来のコンパクト容器には、用具収納凹部内に受板を上下移動自在に配置すると共に、受板の下方に受板を上方に付勢する板バネを設け、化粧用具を用具収納凹部内の受板上に載せて収納するようにしたものがある（例えば特許文献１）。この場合、化粧用具を用具収納凹部内に収納して、蓋体を閉めると、蓋体に化粧用具が下方に押されて板バネの付勢に抗して化粧用具が用具収納凹部内に受板と共に下方移動して用具収納凹部内に納まり、蓋体を開くと、化粧用具が用具収納凹部内から上方突出し、化粧用具が用具収納凹部から取り出し易くなる。
【先行技術文献】
【特許文献】
【０００３】
【特許文献１】実開昭５８−８４０７号公報
【発明の概要】
【発明が解決しようとする課題】
【０００４】
しかし、従来の場合、板バネで受板を上方に付勢しているため、化粧用具を用具収納凹部内に収納した際に収まりが悪く、収納する際に受板から化粧用具が落下するおそれがあり、化粧用具の収納が面倒になるという問題があった。また、蓋体を開いて化粧用具を取り出す際に板バネの付勢力によって化粧用具が受板乃至用具収納凹部内から不測に落下するおそれもあった。さらに、蓋体を閉じた状態で、板バネのテンションが蓋体側に常時かかり蓋体を係合保持するために係合部が破損し易くなる等の問題もあった。
【０００５】
本発明は上記問題点に鑑みて、用具収納凹部から化粧用具を取り出し易くすると同時に、化粧用具を用具収納凹部に収納し易く、しかも蓋体を開いた際に化粧用具が用具収納凹部から不測に落下することがないようにしたものである。
【課題を解決するための手段】
【０００６】
この技術的課題を解決する本発明の技術的手段は、蓋体が容器本体に開閉自在にヒンジ結合され、容器本体に化粧用具を収納する用具収納凹部が設けられたコンパクト容器において、
蓋体の開閉動作により、用具収納凹部内に化粧用具を摘むための指挿入空間を形成するべく化粧用具を移動させる移動手段が設けられている点にある。
【０００７】
また、本発明の他の技術的手段は、化粧用具の把持部が長円柱形状、楕円柱状又は長方形の柱状に形成され、蓋体の開閉動作により前記移動手段で把持部の長円、楕円又は長方形の長軸が水平状態から起立するように化粧用具を用具収納凹部内で姿勢変更させるようにした点にある。
また、本発明の他の技術的手段は、前記移動手段は、容器本体の用具収納凹部に対応して、蓋体に突出した押圧片により構成されている点にある。
【０００８】
また、本発明の他の技術的手段は、前記用具収納凹部の壁体に係止部が設けられ、蓋体の前後方向中途部に係合片が下方突設され、係合片に蓋体を閉塞状態に保持すべく係止部に下側から係合する係合凸部が後方突設されている点にある。
また、本発明の他の技術的手段は、前記用具収納凹部の壁体に係止部が設けられ、押圧片に蓋体を閉塞状態に保持すべく係止部に下側から係合する係合凸部が設けられている点にある。
【発明の効果】
【０００９】
本発明によれば、蓋体の開閉動作により、用具収納凹部内に化粧用具を摘むための指挿入空間を形成するべく化粧用具を移動させる移動手段が設けられているので、用具収納凹部から化粧用具を取り出し易くなる。また、化粧用具を収納する際には、化粧用具を用具収納凹部に入れればよくなり、化粧用具を用具収納凹部に収納し易くなる。しかも、従来のように蓋体を開いた際に化粧用具がバネの付勢力でで用具収納凹部から飛び出したりすることがなくなり、化粧用具が用具収納凹部から不測に落下しなくなる。また、従来のように蓋体を閉じた状態で板バネのテンションが蓋体側に常時かかりるようなこともなくなり、蓋体を係合保持するための係止部や係合凸部が破損し易くなる等の問題もなくなる。
【図面の簡単な説明】
【００１０】
【図１】本発明の一実施形態を示すコンパクト容器の側断面図である。
【図２】同蓋体を閉じる直前のコンパクト容器の側断面図である。
【図３】同蓋体を閉じた状態のコンパクト容器の側断面図である。
【図４】同蓋体を開いて化粧用具と取り出す場合のコンパクト容器の側断面図である。
【図５】同コンパクト容器の斜視図である。
【図６】他の実施形態を示すコンパクト容器の斜視図である。
【図７】他の実施形態を示すコンパクト容器の斜視図である。
【図８】他の実施形態を示す蓋体の斜視図である。
【図９】他の実施形態を示す蓋体の斜視図である。
【図１０】他の実施形態を示す蓋体の斜視図である。
【図１１】他の実施形態を示すコンパクト容器の前部の側断面図である。
【図１２】他の実施形態を示すコンパクト容器の後部の側断面図である。
【図１３】他の実施形態を示す容器本体の前部の斜視図である。
【図１４】同用具収納凹部部分の側断面図である。
【図１５】他の実施形態を示す用具収納凹部部分の側断面図である。
【図１６】他の実施形態を示す用具収納凹部部分の側断面図である。
【図１７】他の実施形態を示す用具収納凹部部分の側断面図である。
【図１８】他の実施形態を示す用具収納凹部部分の側断面図である。
【図１９】他の実施形態を示す容器本体の前部の斜視図である。
【図２０】他の実施形態を示す容器本体の前部の斜視図である。
【発明を実施するための形態】
【００１１】
以下、本発明を図示の実施の形態に従って説明すると、図１〜図５において、１はコンパクト容器の容器本体で、合成樹脂により底壁２と前壁３と後壁４と左右一対の側壁５とを有する上端が開口した箱形に形成されている。容器本体１の後壁４の左右両側に左右一対の支持片７が後方突設されている。容器本体１の前端部の側壁５間に取付凹部８が設けられると共に、前壁３に前方突出した係止部９が設けられている。
【００１２】
容器本体１の前部側に上端が開口した化粧用具１１を収納するための用具収納凹部１３が設けられると共に、前後方向の中途部側から後部側に上端が開口した化粧品収納部１４が設けられ、用具収納凹部１３と化粧品収納部１４とは左右方向の中間壁１６（用具収納凹部１３の後壁体１６Ａ）により区切られている。化粧品収納部１４に化粧品皿１８が内嵌保持され、化粧品皿１８に複数の化粧品収納凹部１９が形成されており、これら化粧品収納凹部１９にアイシャドーやラメ等の各種の化粧品が収納されている。
【００１３】
容器本体１の取付凹部８は後述する蓋体２３の蓋前壁２７及び係合片３１に対応して下方に没入され、容器本体１の左右一対の側壁５に、図５に示すように蓋体２３の蓋側壁２６に対応して嵌合凹部２１が形成されている。而して、用具収納凹部１３は前壁３と中間壁１６と左右一対の側壁５と底壁２とで取り囲まれている。
２３は容器本体１１の上端開口を塞ぐ蓋体で、合成樹脂により構成され、蓋天壁２５と左右一対の蓋側壁２６と蓋前壁２７とを有し、蓋体２３の後端部に支持凸部２８が突設されている。支持凸部２８は支持片７間に嵌合配置され、支持凸部２８が左右一対の支持片７に枢支軸３０廻りに揺動自在に枢支され、これにより、蓋体２３は容器本体１に後端側で開閉自在にヒンジ結合されている。蓋体２３が閉じた状態で、蓋体２３の一対の蓋側壁２６が嵌合凹部２１に嵌合して嵌合凹部２１の底面（側壁５上面）に接当すると共に、蓋前壁２７が取付凹部８の上端部に嵌合する。蓋体２３の前壁３の左右方向中央部に係合片３１が設けられ、係合片３１の下端部に係合凸部３２が設けられており、係合片３１の係合凸部３２が係止部９に下側から係合片３１の弾性変形を利用して係脱自在に係合し、これにより蓋体２３を容器本体１に対して閉塞状態に保持するようになっている。
【００１４】
化粧用具１１はアイシャドーやラメ等を塗布するために用いられるもので、断面が楕円、長円形状又は長方形状の支持軸（柱状体）により構成された把持部３５を有し、図５に示すように把持部３５の長手方向一端部にブラシ毛３６が取り付けられ、他端部にウレタン等により構成した塗布部材３７が外嵌固着されている。
蓋体２３の前部の用具収納凹部１３に対応する位置に押圧片３９が突設されている。押圧片３９は用具収納凹部１３に収納した化粧用具１１の把持部３５に対応して配置されており、押圧片３９は先端側が細くなったブロック状に形成され、後部下端に先端押圧部３９ａを有すると共に、先端押圧部３９ａから前上がりに傾斜した傾斜押圧部３９ｂを有している。蓋体２３を閉めた際に、先端押圧部３９ａが把持部３５と用具収納凹部１３の中間壁１６（後壁体１６Ａ）との間に入り込んで、先端押圧部３９ａ及び傾斜押圧部３９ｂで、把持部３５を前側に押圧して化粧用具１１を前方移動させて用具収納凹部１３内の把持部３５と用具収納凹部１３の中間壁１６との間に化粧用具１１を摘むための指挿入空間Ａを形成すると共に、傾斜押圧部３９ｂで把持部３５を押圧することにより把持部３５の長円、楕円又は長方形の長軸が水平状態から起立するように化粧用具１１を用具収納凹部１３内で姿勢変更させるようになっている（図３、図４参照）。
【００１５】
上記実施形態によれば、化粧用具１１を使用した後、図１に示すように化粧用具１１を用具収納凹部１３に収納し、図２及び図３に示すように蓋体２３を閉じれば、蓋体２３を閉めた際に、先端押圧部３９ａが把持部３５と用具収納凹部１３の中間壁１６との間に入り込んで、先端押圧部３９ａ及び傾斜押圧部３９ｂで、把持部３５を前側に押圧して化粧用具１１を前方移動させて用具収納凹部１３内の把持部３５と用具収納凹部１３の後壁体１６Ａとの間に化粧用具１１を摘むための指挿入空間Ａを形成すると共に、傾斜押圧部３９ｂで把持部３５を押圧することにより把持部３５の長円又は楕円の長軸が水平状態から起立するように化粧用具１１を用具収納凹部１３内で姿勢変更させる。
【００１６】
従って、次に化粧用具１１を用具収納凹部１３から取り出す場合、図４に示すように指挿入空間Ａに人差し指等を挿入して把持部３５を摘んで化粧用具１１を取り出せばよく、指挿入空間Ａと把持部３５が水平状態から起立していることを利用して、化粧用具１１を簡単に取り出すことができる。また、化粧用具１１を用具収納凹部１３に収納する場合には、単に化粧用具１１の長手方向を用具収納凹部１３の左右に一致させて化粧用具１１を用具収納凹部１３に入れればよく、簡単に化粧用具１１を収納することができる。しかも、従来のように蓋体２３を開いた際等に化粧用具１１がバネの付勢力で用具収納凹部１３から飛び出したりすることがなくなり、化粧用具１１が用具収納凹部１３から不測に落下しなくなる。
【００１７】
また、従来のように蓋体２３を閉じた状態で板バネのテンションが蓋体２３側に常時かかりるようなこともなくなり、蓋体２３を係合保持するための係止部９や係合凸部３２が破損し易くなる等の問題もなくなる。また、蓋体２３を閉じた状態で、化粧用具１１を押圧片３９で底壁２や前壁３等に押圧保持することができるため、押圧片３９で化粧用具１１のガタ付きを防ぐことができて、コンパクト容器を携帯する祭等にガタ付き音の発生を防ぐことができる。
【００１８】
図６は他の実施形態を示し、用具収納凹部１３が容器本体１の後部側に設けられると共に、容器本体１の前後方向の中途部側から前部側に化粧品収納部１４が設けられ、用具収納凹部１３と化粧品収納部１４とは左右方向の中間壁１６により区切られている。そして、蓋体２３の後部の用具収納凹部１３に対応する位置に、押圧片３９が突設されている。その他の点は前記図１〜図５の実施の形態の場合と同様の構成である。
【００１９】
図７は他の実施形態を示し、用具収納凹部１３が容器本体１の左右方向の一方側に設けられると共に、容器本体１の左右方向の中途部側から他端側に化粧品収納部１４が設けられ、用具収納凹部１３と化粧品収納部１４とは前後方向の中間壁１６により区切られている。そして、蓋体２３の左右方向の一側部の用具収納凹部１３に対応する位置に、押圧片３９が突設されている。その他の点は前記図１〜図５の実施の形態の場合と同様の構成である。
【００２０】
図８は他の実施形態を示し、蓋体２３の用具収納凹部１３に対応する位置に設けた押圧片３９を、前記図１〜図５の実施形態の左右方向に長いブロック状のものに代えて、板状の押圧片３９を蓋体２３に用具収納凹部１３に対応する位置に左右一対設けるようにしたものである。この場合、押圧体３９がリブ状になっているため、合成樹脂による成型時のヒケ（凹み等）が少なくなる効果がある。その他の点は前記前記図１〜図５の実施形態の場合と同様の構成である。
【００２１】
図９は他の実施形態を示し、蓋体２３の用具収納凹部１３に対応する位置に設けた押圧片３９を、前記図１〜図５の実施形態の左右方向に長いブロック状のものに代えて、前後方向乃至上下方向に薄い板状の押圧片３９を蓋体２３に用具収納凹部１３に対応する位置に設けるようにしたものである。この場合、押圧体３９が薄い板状になっているため、合成樹脂による成型時のヒケ（凹み等）が少なくなる効果があるし、押圧片３９が弾性変形し易くなり、押圧時に把持部３５との接触時の振動や衝撃を分散吸収する効果がある。その他の点は前記前記図１〜図５の実施形態の場合と同様の構成である。
【００２２】
図１０は他の実施形態を示し、蓋体２３の用具収納凹部１３に対応する位置に設けた押圧片３９を、前記図１〜図５の実施形態の左右方向に長いブロック状のものに代えて、前後方向乃至上下方向に薄い板状であって、左右幅が先端（下方）に向けて徐々に小さくなる先細り状に形成したものである。この場合、押圧体３９が薄い板状になっているため、合成樹脂による成型時のヒケ（凹み等）が少なくなる効果があるし、押圧片３９が弾性変形し易くなり、押圧時に把持部３５との接触時の振動や衝撃を分散吸収する効果がある。しかも、図９の実施形態の場合と比べて押圧部分が集中するのでより効果的に押圧して化粧用具１１を移動することができる。その他の点は前記前記図１〜図５の実施形態の場合と同様の構成である。
【００２３】
図１１は他の実施形態を示し、蓋体２３の用具収納凹部１３に対応する位置に設けた押圧片３９を、板状に形成すると共に、化粧用具１１の把持部３５と押圧片３９とを互いに反発させるようにこれらに磁石４３を固着し又はこれらを磁石４３により形成したものである。その他の点は前記前記図１〜図５の実施形態の場合と同様の構成である。
図１２は他の実施形態を示し、用具収納凹部１３が容器本体１の後部側に設けられると共に、容器本体１の前後方向の中途部側から前部側に化粧品収納部１４が設けられ、用具収納凹部１３と化粧品収納部１４とは中間壁１６により区切られている。また、用具収納凹部１３の後壁４４と底壁４５とが一体に構成されて、容器本体１（底壁２及び中間壁１６）に対して前後移動自在になるように容器本体１に組み込まれ、台形状の押圧片３９が用具収納凹部１３の後壁４４と底壁４５との間に設けられている。そして、連動部材４７が、蓋体２３の枢支軸３０から変位した位置であって蓋体２３の支持凸部２８又は支持片７に支持軸４８廻りに揺動自在に枢支されていると共に、後壁４４に屈曲可能に連結されており、連動部材４７は蓋体２３の閉動作に連動して後壁４４及び底壁４５乃至押圧片３９を前方に押圧すると共に、蓋体２３の開動作に連動して後壁４４及び底壁４５乃至押圧片３９を後方に引っ張るように構成されている。従って、蓋体２３を閉めた際に、蓋体２３の閉動作に連動して押圧片３９で把持部３５を前側に押圧し、用具収納凹部１３内の把持部３５の後方に化粧用具１１を摘むための指挿入空間Ａを形成すると共に、把持部３５の長円又は楕円の長軸が水平状態から起立するように化粧用具１１を姿勢変更させるようになっている。
【００２４】
図１３及び図１４は他の実施形態を示し、前記図１〜図５の実施形態における押圧片３９による化粧用具１１の移動を補助するために台形状の台座５０を用具収納凹部１３の底壁２に設けたものであり、この台座５０によって化粧用具１１を予め少し回転（把持部３５の長軸が水平状態から少し起立するように姿勢変更）させた状態にしておくことができる。従って、この場合、蓋体２３を閉めた際に、先端押圧部３９ａが把持部３５と用具収納凹部１３の後壁４との間に入り込んで、押圧片３９で把持部３５を前側に押圧して化粧用具１１を摘むための指挿入空間Ａが形成し易くなると共に、傾斜押圧部３９ｂで把持部３５を押圧することにより把持部３５の長円又は楕円の長軸が水平状態から起立するように化粧用具１１を収納凹部内で姿勢変更させ易くなる。
【００２５】
図１５は他の実施形態を示し、前記図１〜図５の実施形態における押圧片３９の押圧による化粧用具１１の移動後に、化粧用具１１を簡易的に固定保持するために用具収納凹部１３の底壁２の前側に凹溝５１を設けたものである。
図１６は他の実施形態を示し、前記図１〜図５の実施形態における押圧片３９の押圧による化粧用具１１の移動後に、化粧用具１１を簡易的に固定保持するために用具収納凹部１３の底壁２の前側に細かい凹凸等による摩擦部５２を設けたものである。
【００２６】
図１７は他の実施形態を示し、前記図１〜図５の実施形態における押圧片３９の押圧による化粧用具１１の移動後（指挿入空間Ａの形成及び姿勢変更後）に、化粧用具１１を簡易的に固定保持するために化粧用具１１の把持部３５の長軸方向の一端部におもり５３を埋設したものである。
図１８は他の実施形態を示し、前記図１〜図５の実施形態における押圧片３９の押圧による化粧用具１１の移動後（指挿入空間Ａの形成及び姿勢変更後）に、化粧用具１１を簡易的に固定保持するために化粧用具１１の把持部３５の長軸方向の両端からややずれた位置に突起５４を設けたものである。
【００２７】
図１９は他の実施形態を示し、係止部９が、前記図１〜図５の実施形態における前壁３に代えて用具収納凹部１３の中間壁１６（後壁体１６Ａ）に設けられ、係合片３１が省略されて押圧片３９に係合凸部３２が後方突設されている。押圧片３９の係合凸部３２が係止部９に係脱自在に係合し、これにより蓋体２３を容器本体１に対して閉塞状態に保持するようにしている。その他の点は前記図１〜図５の実施の形態の場合と同様の構成である。この場合、蓋体２３の係合片３１が別途不要になり、コンパクト容器の構成部材が少なくなりコンパクト容器がより小さくなる。また、蓋体２３の開閉部分に係合凸部３２が見えなくなりコンパクト容器を外観上美麗にすることができる。また、係合凸部３２を押圧片３９と一体に形成できるので、この点からも構成部材を削減することができる。
【００２８】
図２０は他の実施形態を示し、係止部９が、前記図１〜図５の実施形態における前壁３に代えて用具収納凹部１３の中間壁１６（後壁体１６Ａ）に設けられ、係合片３１が蓋体２３の蓋前壁２７に代えて蓋体２３の蓋天壁２５の前後方向中途部に下方突設され、係合片３１の下端部に係合凸部３２が後方突設され、係合片３１の左右両側に、一対の押圧片３９が図８の実施形態のように設けられており、係合片３１の係合凸部３２が係止部９に係合片３１の弾性変形を利用して下側から係脱自在に係合し、これにより蓋体２３を容器本体１に対して閉塞状態に保持するようにしている。その他の点は前記図１〜図５の実施の形態の場合と同様の構成である。この場合、蓋体２３の開閉部分に係合凸部３２が見えなくなり、コンパクト容器を外観上美麗にすることができる。また、押圧体３９がリブ状になっているため、合成樹脂による成型時のヒケ（凹み等）が少なくなる効果がある。
【００２９】
なお、前記実施の形態では、蓋体２３の開閉動作により用具収納凹部１３内に化粧用具１１を摘むための指挿入空間Ａを形成するべく化粧用具１１を移動させる移動手段が、主として蓋体２３に設けた押圧片３９によって構成されているが、化粧用具１１を移動させる移動手段はこれに限定されず、例えば図１２の実施形態に示すように、移動手段を後壁４４と底壁４５と押圧片３９と連動部材４７とで構成するようにしてもよいし、また、例えば、図１２の実施形態を変形して、連動部材４７で直接化粧用具１１を押圧するようにして指挿入空間Ａの形成及び姿勢変更させる移動手段を連動部材４７で構成することも可能である。
【００３０】
また、１９図及び２０図の実施形態では、用具収納凹部１３の後壁体１６Ａに係止部９が設けられているが、用具収納凹部１３が容器本体１の前後方向の中途部や後部に設ける場合には、係止部９を、用具収納凹部１３の後壁体１６Ａに代えて用具収納凹部１３の前壁体に設けるようにしてもよいし、用具収納凹部１３の側壁体に設けるようにすることも可能である。
【符号の説明】
【００３１】
１      容器本体
９      係止部
１１    化粧用具
１３    用具収納部
１６Ａ  壁体
２３    蓋体
３１    係合片
３２    係合凸部
３５    把持部
３９    押圧片
Ａ      指挿入空間
【図１】
2011055889.tif 000003
【図２】
2011055889.tif 000004
【図３】
2011055889.tif 000005
【図４】
2011055889.tif 000006
【図５】
2011055889.tif 000007
【図６】
2011055889.tif 000008
【図７】
2011055889.tif 000009
【図８】
2011055889.tif 000010
【図９】
2011055889.tif 000011
【図１０】
2011055889.tif 000012
【図１１】
2011055889.tif 000013
【図１２】
2011055889.tif 000014
【図１３】
2011055889.tif 000015
【図１４】
2011055889.tif 000016
【図１５】
2011055889.tif 000017
【図１６】
2011055889.tif 000018
【図１７】
2011055889.tif 000019
【図１８】
2011055889.tif 000020
【図１９】
2011055889.tif 000021
【図２０】
2011055889.tif 000022